(57)【要約】【課題】取り忘れられた媒体と容易に対応し得る情報を記録できるようにする。【解決手段】現金自動預払機１の主制御部９は、紙幣の取り忘れが発生すると、金種を判別できなかった場合に金種情報ＮＢ２を金種不明文字列「ＵＮＫＮＯＷＮ」とし、また記番号情報ＮＢ３において記番号中の不読桁を不読文字「？」として、各取忘紙幣の紙幣情報ＮＢを生成して取忘情報Ｎとし、これを電子ジャーナルＥＪに記録する。これにより主制御部９は、電子ジャーナルＥＪの取忘情報Ｎを保守作業者等に提示することで、各取忘紙幣と各紙幣情報ＮＢとの対応付けを容易なものとし、各取忘紙幣の判別結果等を直ちに把握させることができる。【選択図】図４
2015191332.tif 000002
【特許請求の範囲】
【請求項１】
一意の識別番号が付された媒体を取引内容に応じて利用者に受け渡す受渡部と、
前記受渡部に残された媒体から前記識別番号を読み取る鑑別部と、
所定の判別基準に従い前記媒体の正当性を判別する判別部と、
前記媒体ごとに、前記識別番号のうち前記鑑別部において読み取れなかった部分を所定の不読情報により表した読取結果と、前記正当性の判別結果とを記録する記録部と
を具えることを特徴とする媒体取引装置。
【請求項２】
前記識別番号は、複数の文字の組み合わせでなり、
前記記録部は、前記識別番号のうち読み取れなかった１文字を表す代用文字を前記不読情報として記録する
ことを特徴とする請求項１に記載の媒体取引装置。
【請求項３】
前記記録部は、前記識別番号の全てが読み取れなかった場合には当該識別番号の全てが読み取れなかった旨を表す全不読情報を記録する
ことを特徴とする請求項１に記載の媒体取引装置。
【請求項４】
前記受渡部は、複数種類の前記媒体を前記利用者に受渡可能であり、
前記鑑別部は、前記媒体の種類を判別すると共に前記識別番号を読み取り、
前記記録部は、前記読取結果及び前記正当性の判別結果と共に前記種類を記録する
ことを特徴とする請求項１に記載の媒体取引装置。
【請求項５】
前記記録部は、前記判別部により前記正当性が否定された場合、前記読取結果及び前記正当性と共に、当該正当性が否定された理由を表す情報を記録する
ことを特徴とする請求項１に記載の媒体取引装置。
【請求項６】
前記記録部は、前記読取結果及び前記正当性の判別結果と対応付けて、前記鑑別部により前記識別番号を読み取った際の前記媒体の順序を表す情報を記録する
ことを特徴とする請求項１に記載の媒体取引装置。
【請求項７】
操作指示を受け付ける操作部と、
前記操作部に対する所定の操作指示に従い、前記媒体ごとの前記読取結果及び前記正当性の判別結果を提示する提示部と
をさらに具えることを特徴とする請求項１に記載の媒体取引装置。
【請求項８】
前記提示部は、前記取引内容をレシートに印字して発行するレシート処理部である
ことを特徴とする請求項７に記載の媒体取引装置。
【請求項９】
前記提示部は、情報を表示する表示画面である
ことを特徴とする請求項７に記載の媒体取引装置。
【発明の詳細な説明】
【技術分野】
【０００１】
本発明は媒体取引装置に関し、例えば利用者に要求された紙幣等の媒体を繰り出して所望の取引を行う現金自動預払機（ＡＴＭ）に適用して好適なものである。
【背景技術】
【０００２】
従来、金融機関等で使用される現金自動預払機等においては、利用者との取引内容に応じて、例えば利用者に紙幣や硬貨等の現金を入金させ、また利用者へ現金を出金するものが広く普及している。
【０００３】
現金自動預払機としては、例えば利用者との間で紙幣の受け渡しを行う入出金部と、紙幣を搬送する搬送部と、投入された紙幣の金種及び真偽を鑑別する鑑別部と、投入された紙幣を一時的に保留する一時保留部と、紙幣を金種ごとに格納する紙幣収納庫と、全体を制御する制御部等とを有するものが提案されている。この入出金部は、例えば紙幣を収容する収容器と、当該収容器を閉塞し又は開放するシャッタとを有している。
【０００４】
現金自動預払機は、出金取引において、利用者から出金取引の開始及び出金額が指示されると、紙幣収納庫から出金額に応じた金種及び枚数の紙幣を順次繰り出し、これを１枚ずつ鑑別して金種や搬送状態等を鑑別し、出金可能な紙幣を入出金部へ順次搬送して収容器内に収容させる。その後現金自動預払機は、入出金部のシャッタを開放して、収容機内の紙幣を利用者に取り出すよう促す。
【０００５】
ここで現金自動預払機は、入出金部内の紙幣が所定時間以内に利用者により取り出されなかった場合、利用者が当該紙幣を取り忘れて立ち去った、いわゆる出金紙幣の取り忘れが発生したものと判断し、入出金部のシャッタを閉塞して当該紙幣を取り込み、所定の専用収納庫へ搬送して収納する（例えば、特許文献１参照）。
【０００６】
このとき現金自動預払機は、取り込んだ紙幣を鑑別部により再度鑑別して金種を判別すると共に記番号等を読み取り、取引の履歴等を記録するためのジャーナルに、日時等と共に各紙幣の情報を記録する。これにより現金自動預払機では、出金紙幣の取り忘れが複数回発生してその分の紙幣が何れも専用収納庫に収納されている場合に、金融機関の職員等がこのジャーナルを参照することで、各取引において取り忘れられた紙幣を特定し得るようになっている。
【先行技術文献】
【特許文献】
【０００７】
【特許文献１】特開平１１−２８３０７６号公報（第１図）
【発明の概要】
【発明が解決しようとする課題】
【０００８】
しかしながら、かかる構成の現金自動預払機では、取り込んだ紙幣を鑑別部において再度鑑別した際に記番号の一部又は全部を読み取れなかった場合、記録すべき記番号が不明確であるため、ジャーナルに記録が残されないことがあった。このような場合、現金自動預払機では、取り忘れられた紙幣とジャーナルとの対応付けが容易ではなく、紙幣の特定が極めて困難となってしまう、という問題があった。
【０００９】
本発明は以上の点を考慮してなされたもので、取り忘れられた媒体と容易に対応し得る情報を記録する媒体取引装置を提案しようとするものである。
【課題を解決するための手段】
【００１０】
かかる課題を解決するため本発明の媒体取引装置においては、一意の識別番号が付された媒体を取引内容に応じて利用者に受け渡す受渡部と、受渡部に残された媒体から識別番号を読み取る鑑別部と、所定の判別基準に従い媒体の正当性を判別する判別部と、媒体ごとに、識別番号のうち鑑別部において読み取れなかった部分を所定の不読情報により表した読取結果と、正当性の判別結果とを記録する記録部とを設けるようにした。
【００１１】
これにより、記録された内容を視認した者に対し、識別番号又は不読情報により表された読取結果と実際の媒体とを容易に対応付けさせることができるので、記録上で当該読取結果と対応付けられた正当性の判別結果を基に、正当性に問題がある媒体を容易に特定させることができる。
【発明の効果】
【００１２】
本発明によれば、識別番号又は不読情報により表された読取結果と実際の媒体とを容易に対応付けさせることができるので、正当性に問題がある媒体を容易に特定させることができる。かくして本発明は、取り忘れられた媒体と容易に対応し得る情報を記録する媒体取引装置を実現できる。
【図面の簡単な説明】
【００１３】
【図１】現金自動預払機の構成を示す略線的斜視図である。
【図２】紙幣入出金機の構成を示す略線図である。
【図３】現金自動預払機及び紙幣入出金機のブロック構成を示す略線図である。
【図４】第１の実施の形態による取忘情報の構成を示す略線図である。
【図５】第１の実施の形態による取忘情報記録処理手順を示すフローチャートである。
【図６】印字操作画面の構成を示す略線図である。
【図７】取忘情報のレシートへの印字を示す略線図である。
【図８】第２の実施の形態による取忘情報の構成を示す略線図である。
【図９】第２の実施の形態による取忘情報記録処理手順を示すフローチャートである。
【発明を実施するための形態】
【００１４】
以下、発明を実施するための形態（以下実施の形態とする）について、図面を用いて説明する。
【００１５】
［１．第１の実施の形態］
［１−１．現金自動預払機の構成］
図１に外観を示すように、現金自動預払機１は、箱状の筐体２を中心に構成されており、例えば金融機関等に設置され、利用者との間で入金取引や出金取引等の現金に関する取引を行う。以下では、現金自動預払機１のうち利用者が対峙する側を前側とし、その反対を後側とし、当該前側に対峙した利用者から見て左及び右をそれぞれ左側及び右側とし、さらに上側及び下側を定義して説明する。
【００１６】
筐体２は、その前側に利用者が対峙した状態で紙幣の投入やタッチパネルによる操作等をしやすい箇所に顧客応対部３が設けられている。顧客応対部３は、金融機関の顧客等の利用者との間で現金や通帳等を直接やり取りすると共に、取引に関する情報の通知や操作指示の受付を行うようになっており、カード入出口４、入出金口５、操作表示部６、テンキー７、及びレシート発行口８が設けられている。
【００１７】
カード入出口４は、キャッシュカード等の各種カードが挿入又は排出される部分である。カード入出口４の奥側には、各種カードに磁気記録された口座番号等の読み取りを行うカード処理部４Ａ（図３）が設けられている。入出金口５は、利用者が入金する紙幣が投入されると共に、利用者へ出金する紙幣が排出される部分である。また入出金口５は、シャッタを駆動することにより開放又は閉塞する。
【００１８】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部８Ａ（図３）が設けられている。
【００１９】
筐体２内には、現金自動預払機１全体を統括制御する主制御部９や、紙幣に関する種々の処理を行う紙幣入出金機１０等が設けられている。
【００２０】
主制御部９は、図示しないＣＰＵ（Central Processing Unit）を中心に構成されており、図示しないＲＯＭやフラッシュメモリ等から所定のプログラムを読み出して実行することにより、入金取引や出金取引等の種々の処理を行う。また主制御部９は、内部にＲＡＭ（Random Access Memory）、ハードディスクドライブやフラッシュメモリ等でなる記憶部９Ｍを有しており、この記憶部９Ｍに種々の情報を記憶させる。
【００２１】
また現金自動預払機１内には、各種取引に関する動作や処理の履歴を記録する電子ジャーナル部２１が設けられている。この電子ジャーナル部２１は、例えばハードディスクドライブやフラッシュメモリでなり、利用者との間で取引が行われた日時、利用者の口座番号、取引の種類、取り扱われた紙幣の金種や枚数、さらには各紙幣の記番号等が電子ジャーナルＥＪ（後述する）に電子データとして記録される。
【００２２】
紙幣入出金機１０は、図２に側面図を示すように、その内部に紙幣制御部１１、入出金部１２、搬送部１３、鑑別部１４、一時保留部１５、紙幣収納庫１６、リジェクト庫１７及び取忘収納庫１８が設けられている。
【００２３】
紙幣制御部１１は、図３に現金自動預払機１全体を含む紙幣入出金機１０のブロック構成を示すように、主制御部９と連携しながら、当該紙幣入出金機１０を統括的に制御するようになっている。紙幣制御部１１は、主制御部９と同様、図示しないＣＰＵを中心に構成されており、図示しないＲＯＭやフラッシュメモリ等から所定のプログラムを読み出して実行することにより、入金処理や出金処理等、種々の処理を行う。
【００２４】
また紙幣制御部１１は、内部にＲＡＭ及びフラッシュメモリ等でなる記憶部１１Ｍを有しており、この記憶部１１Ｍに出金プログラム等の各種プログラムや紙幣に関する情報等の種々の情報を記憶させる。
【００２５】
入出金部１２（図２）は、上方が開放された箱状の収容器１２Ａを中心に構成されている。収容器１２Ａは、利用者へ受け渡すべき紙幣又は利用者から受け渡される紙幣を前後方向に沿って整列した状態で収容する。この収容器１２Ａの上方には、開閉可能なシャッタ１２Ｂが設けられている。
【００２６】
搬送部１３は、図示しないモータ、ローラ、ベルト及びガイド等により紙幣入出金機１０内の各部を結ぶような搬送経路を形成している。この搬送部１３は、ローラを適宜回転させ、またベルトを適宜走行させることにより、紙幣の短辺に沿った方向を進行方向として、この搬送経路に沿って搬送する。
【００２７】
鑑別部１４は、内部に光学センサ、イメージセンサや磁気センサ等の各種センサを有しており、その内部で紙幣を搬送しながら、各センサによる鑑別結果を得て紙幣制御部１１へ供給する。これに応じて紙幣制御部１１は、取得した鑑別結果に基づいて当該紙幣の金種及び真偽、並びに損傷の程度等を判別すると共に記番号を読み取り、各紙幣の搬送先を決定する。また紙幣制御部１１は、この判別結果及び記番号を主制御部９へも通知する。
【００２８】
因みに紙幣の記番号は、各紙幣に一意に割り当てられた識別番号であり、複数の文字の組み合わせで構成されている。この記番号は、個別の紙幣を特定する場合等に利用される。この記番号を構成する文字としては、数字や英文字の他、ロシア文字や漢字等、種々の言語の文字が用いることができ、さらには「−」や「＠」、「＆」等の種々の記号も広義の「文字」として用いることができる。
【００２９】
一時保留部１５は、いわゆるテープエスクロ方式を採用しており、円筒状のドラムの周側面に紙幣をテープと共に巻き付けることで当該紙幣を収納し、またこの周側面から当該テープを引き剥がすことで紙幣を繰り出すようになっている。因みに一時保留部１５は、最大で例えば２００枚の紙幣を収納することができる。
【００３０】
紙幣収納庫１６は、内部に多数の紙幣を集積して収納するようになっている。この紙幣収納庫１６は、例えば入金取引において、鑑別部１４において損傷の程度が小さく再利用可能と鑑別された紙幣が金種ごとに振り分けられ搬送部１３により搬送されてくると、これを取り込んで収納する。また紙幣収納庫１６は、出金取引において、紙幣制御部１１の制御に基づき、指示された枚数の紙幣を１枚ずつに分離して繰り出し、搬送部１３に順次受け渡す。
【００３１】
リジェクト庫１７は、鑑別部１４において損傷の程度が大きく再利用すべきでないと鑑別された紙幣（いわゆるリジェクト紙幣）を収納する。取忘収納庫１８は、出金取引等において利用者が入出金部１２から取り忘れた紙幣を上下方向に重ねて整列した状態で収納する。
【００３２】
［１−２．入金処理］
次に、紙幣入出金機１０における紙幣の入金処理について説明する。現金自動預払機１において利用者との間で入金取引が行われる場合、紙幣入出金機１０の紙幣制御部１１は、記憶部１１Ｍから所定の入金処理プログラムを読み出して実行することにより、入金処理を開始する。
【００３３】
まず紙幣制御部１１は、主制御部９（図１）と連携しながら操作表示部６を介して入金取引の開始操作を受け付けると、入出金部１２のシャッタ１２Ｂを開いて収容器１２Ａ内へ紙幣を投入させる。入出金部１２は、利用者により収容器１２Ａに紙幣が投入された上で、操作表示部６を介して取込開始の操作指示を受け付けると、シャッタ１２Ｂを閉塞し、収容器１２Ａから紙幣を１枚ずつ取り込んで搬送部１３へ受け渡す。搬送部１３は、紙幣を短辺方向に沿って進行させ、鑑別部１４へ搬送する。
【００３４】
鑑別部１４は、その内部で紙幣を搬送しながら、各センサによる検知結果を紙幣制御部１１へ通知する。紙幣制御部１１は、鑑別部１４から得られた鑑別結果を基に、紙幣の金種及び真偽、並びに損傷の程度等を判別し、さらに記番号を読み取ると共に、各紙幣の判別結果を基にその搬送先を決定する。
【００３５】
具体的に紙幣制御部１１は、正当であり取引すべきと鑑別された紙幣を搬送部１３により一時保留部１５へ搬送させ収納させる一方、取引すべきでないと鑑別されたリジェクト紙幣を搬送部１３により入出金部１２へ搬送し、利用者へ返却する。
【００３６】
やがて紙幣制御部１１は、入出金部１２に投入された全ての紙幣を取り込み終えると、鑑別部１４から得られた鑑別結果を基に入金額を算出し、これを操作表示部６（図１）に表示して利用者に提示して、入金取引を継続するか否かを問い合わせる。ここで利用者から入金取引を継続する旨の指示を受け付けた場合、紙幣制御部１１は、一時保留部１５に保留している紙幣を搬送部１３により鑑別部１４へ搬送してその金種及び損傷の程度等を鑑別させ、その鑑別結果を取得する。
【００３７】
続いて紙幣制御部１１は、搬送部１３を制御することにより、紙幣の損傷の程度が小さい紙幣については、これを再利用すべき紙幣として、搬送部１３により金種ごとに振り分けた上で紙幣収納庫１６へ搬送して収納させる。その一方で紙幣制御部１１は、損傷の程度が大きい紙幣を再利用すべきでないリジェクト紙幣としてリジェクト庫１７へ搬送して収納させる。
【００３８】
一方、紙幣制御部１１は、利用者から入金取引を継続しない旨の指示を受け付けた場合、一時保留部１５に保留している全ての紙幣を順次繰り出させ、これを搬送部１３により入出金部１２へ順次搬送して収容器１２Ａ内へ順次収容させる。紙幣制御部１１は、全ての紙幣を収容器１２Ａ内に収容すると、シャッタ１２Ｂを開放して紙幣を利用者に取り出させる。
【００３９】
このとき紙幣制御部１１は、シャッタ１２Ｂを開放してから所定の待機時間（例えば３０秒間）が経過しても収容器１２Ａ内に紙幣が残っていた場合、利用者が当該紙幣を取り忘れて立ち去ったものと、すなわち紙幣の取り忘れが発生したものと判断する。続いて紙幣制御部１１は、収容器１２Ａ内の紙幣を１枚ずつ取り込み、搬送部１３により鑑別部１４へ搬送して各紙幣を鑑別させた上で、一時保留部１５へ搬送する。
【００４０】
ここで、鑑別部１４から得られる鑑別結果を基に、紙幣制御部１１が各紙幣を正常でないと判別する場合、大きく分けて２種類の要因がある。そのうち１種類は、紙幣自体に起因するものであり、偽券と判別された場合や金種を判別できなかった場合、すなわち不当な紙幣と判別された場合である。以下、このように判別された紙幣を不当紙幣と呼ぶ。
【００４１】
もう１種類は、紙幣の搬送に起因するものであり、２枚以上の紙幣が重なって搬送される、いわゆる重送の場合や、紙幣の搬送方向に対する傾斜角度が極めて大きい、いわゆる斜行の場合、すなわち正常に搬送されていないと判別された場合である。以下、このように判別された紙幣を搬送不良紙幣と呼ぶ。
【００４２】
紙幣制御部１１は、鑑別部１４から得られる鑑別結果を基に、不当紙幣が含まれていない場合、仮に搬送不良紙幣が含まれていたとしても、全ての紙幣を取忘収納庫１８へ搬送して収納させ、次の取引の開始を待ち受ける。一方、紙幣制御部１１は、不当紙幣が１枚以上含まれていた場合、全ての紙幣を入出金部１２へ搬送して収容器１２Ａ内に収容させ、シャッタ１２Ｂを閉塞したまま、主制御部９と協働して現金自動預払機１の運用を停止させる。
【００４３】
［１−３．出金処理］
次に、紙幣入出金機１０における紙幣の出金処理について説明する。現金自動預払機１において利用者との間で出金取引が行われる場合、紙幣入出金機１０の紙幣制御部１１は、記憶部１１Ｍから所定の出金処理プログラムを読み出して実行することにより、出金処理を開始する。
【００４４】
まず紙幣制御部１１は、主制御部９（図３）と連携しながら、操作表示部６を介して利用者による出金取引の開始操作や出金額の入力操作を受け付ける。次に紙幣制御部１１は、出金額に応じた金種及び枚数の紙幣を決定した上で、この金種及び枚数の紙幣を紙幣収納庫１６から順次繰り出し、搬送部１３により鑑別部１４へ搬送して鑑別させる。
【００４５】
このとき紙幣制御部１１は、複数の紙幣が重なって搬送される重送のように、正常と判別できなかった紙幣をリジェクト紙幣としてリジェクト庫１７へ搬送する一方、正常な紙幣を出金額に相当する金額分だけ入出金部１２へ搬送させ、収容器１２Ａ内に収容する。最後に紙幣制御部１１は、入出金部１２のシャッタ１２Ｂを開放させて収容器１２Ａ内の紙幣を利用者に取り出させる。
【００４６】
このとき紙幣制御部１１は、シャッタ１２Ｂを開放してから所定の待機時間（例えば３０秒間）が経過しても収容器１２Ａ内に紙幣が残っていた場合、入金処理の場合と同様、紙幣の取り忘れが発生したものと判断する。続いて紙幣制御部１１は、収容器１２Ａ内の紙幣を１枚ずつ取り込み、鑑別部１４により各紙幣を鑑別させた上で一時保留部１５へ搬送する。
【００４７】
さらに紙幣制御部１１は、鑑別部１４から得られる鑑別結果を基に、不当紙幣が含まれていない場合には全ての紙幣を取忘収納庫１８して次の取引の開始を待ち受け、また不当紙幣が１枚以上含まれていた場合には全ての紙幣を入出金部１２へ搬送して現金自動預払機１の運用を停止させる。
【００４８】
［１−４．取忘情報の記録］
ところで紙幣入出金機１０は、入金取引及び出金取引の何れにおいても、紙幣の取り忘れが発生した場合、上述したように各紙幣を入出金部１２から取り込んで鑑別部１４へ搬送して鑑別させ、紙幣制御部１１により各紙幣の真偽等を判別させる。このとき主制御部９は、紙幣制御部１１から各紙幣の判別結果を取得し、取引に関する他の情報と共に、電子ジャーナル部２１（図３）の電子ジャーナルＥＪに記録する。
【００４９】
具体的に主制御部９は、紙幣の取り忘れが１回発生する度に、取忘紙幣に関する情報を表す取忘情報Ｎを電子ジャーナルＥＪに記録する。取忘情報Ｎは、図４に示すように、複数行の文字により構成されており、このうち１行目が日付及び時刻を表す日時情報ＮＡであり、残りの各行が紙幣の情報を表す紙幣情報ＮＢである。
【００５０】
紙幣情報ＮＢは、１枚の紙幣について１行ずつ情報が記録されており、各行において左から順に順序情報ＮＢ１、金種情報ＮＢ２、記番号情報ＮＢ３及び正当性情報ＮＢ４が記録される。
【００５１】
順序情報ＮＢ１は、鑑別部１４において鑑別された順序を表す整数であり、基本的に取忘収納庫１８又は入出金部１２に収納されている取忘紙幣の整列順序と対応する。また順序情報ＮＢ１は、紙幣情報ＮＢにおける行番号としても機能する。金種情報ＮＢ２は、鑑別部１４から得られた鑑別情報を基に紙幣制御部１１において判別された金種を表しており、「１０００」、「５０００」及び「１００００」のように、各紙幣の金額が数字により記録される。
【００５２】
また金種情報ＮＢ２は、紙幣制御部１１において金種を判別できなかった場合、例えば図４における行番号「５」のように、金種を判別できなかったことを表す金種不明文字列「ＵＮＫＮＯＷＮ」が記録される。ここで紙幣の金種を判別できなかった場合とは、記憶部１１Ｍ（図３）に予め記憶されている各金種の正常な画像データに対し、鑑別部１４から得られた画像データが何れも合致しなかった場合である。因みに紙幣の金種を判別できなかった場合、紙幣制御部１１は、金種ごとに異なる記番号の位置を特定することができず、当該記番号を読み取ることもできない。
【００５３】
記番号情報ＮＢ３は、鑑別部１４から得られた鑑別情報を基に紙幣制御部１１において読み取られた記番号を表す。ここで記番号に読み取れない桁、例えば何れの文字とも判定できなかった桁や複数候補の何れかを判定できなかった桁があった場合には、この桁を不読桁として、例えば行番号「３」の７文字目や行番号「４」の１、２及び８文字目のように、不読文字「？」が記録される。
【００５４】
正当性情報ＮＢ４は、鑑別部１４からの鑑別結果を基に紙幣制御部１１において偽券と判別された場合や金種を判別できなかった場合に、不当紙幣であることを表す不当文字列「ＲＥＪＥＣＴＥＤ」が記録される。因みに正当性情報ＮＢ４は、正当な紙幣であった場合には空欄のままとなる。
【００５５】
因みに主制御部９は、紙幣の取り忘れが発生すると、不当紙幣の有無に拘わらず、記憶部９Ｍを一時的な記憶領域として利用しながら、取忘紙幣それぞれについての紙幣情報ＮＢを生成して取忘情報Ｎとし、これを電子ジャーナルＥＪに供給して記録させるようになっている。
【００５６】
次に、主制御部９により取忘情報Ｎを電子ジャーナルＥＪに記録する場合の処理手順について説明する。入金取引や出金取引において紙幣の取り忘れが発生すると、紙幣制御部１１は、入出金部１２から紙幣が１枚ずつ取り込まれて鑑別部１４へ搬送させ、当該鑑別部１４から鑑別結果を取得する。
【００５７】
続いて紙幣制御部１１は、得られた鑑別結果を基に、各紙幣の真偽及び金種等の判別並びに記番号の読み取り（認識）等の各処理を行い、これらの処理結果を表す情報（以下、これを取忘紙幣情報と呼ぶ）を主制御部９へ通知する。
【００５８】
主制御部９は、紙幣制御部１１から取忘紙幣情報を取得すると、記憶部９Ｍから取忘情報記録プログラムを読み出して実行することにより、図５に示す取忘情報記録処理手順ＲＴ１を開始してステップＳＰ１へ移る。ステップＳＰ１において主制御部９は、現在の日時を基に日時情報ＮＡを生成して電子ジャーナルＥＪに記録し、次のステップＳＰ２へ移る。因みにこのとき主制御部９は、複数枚の紙幣についての取忘紙幣情報を取得していた場合、最初の紙幣に着目し、その取忘紙幣情報を処理対象とする。
【００５９】
ステップＳＰ２において主制御部９は、得られた取忘紙幣情報を基に、当該紙幣の金種を判別できたか否かを判定する。ここで肯定結果が得られると、このことは当該紙幣が少なくとも複数の金種のうちいずれかの紙幣として認識でき、その記番号を読み取れた可能性が高いことを表している。このとき主制御部９は、次のステップＳＰ３へ移って金種情報ＮＢ２を確定し、次のステップＳＰ４へ移る。
【００６０】
ステップＳＰ４において主制御部９は、得られた取忘紙幣情報を基に、紙幣が偽造紙幣であったか否かを判定する。ここで肯定結果が得られると、このことは当該紙幣が偽造紙幣であり、電子ジャーナルＥＪにその旨を記録するべきであることを表している。このとき主制御部９は、次のステップＳＰ５へ移って当該紙幣を不当紙幣と判別し、その次のステップＳＰ６へ移る。一方、ステップＳＰ４において否定結果が得られると、このことは当該紙幣が正常であることを表しており、このとき主制御部９は、次のステップＳＰ６へ移る。
【００６１】
ステップＳＰ６において主制御部９は、得られた取忘紙幣情報を基に、記番号の中に不読桁があるか否かを判別する。ここで肯定結果が得られると、このことはこの不読桁の文字を読み取れなかったことを電子ジャーナルＥＪに記録する必要があることを表している。このとき主制御部９は、この不読桁に不読文字「？」を割り当て、次のステップＳＰ１０へ移る。一方、ステップＳＰ６において否定結果が得られると、このことは記番号の全桁を読み取ることができ、当該記番号をそのまま電子ジャーナルＥＪに記録できることを表している。このとき主制御部９は、次のステップＳＰ１０へ移る。
【００６２】
また、ステップＳＰ２において否定結果が得られると、このことは当該紙幣の金種を判別できず、これに伴って金種ごとに異なる記番号の位置を特定できないことから当該記番号も読み取れなかったこと、及びその旨を電子ジャーナルＥＪに記録するべきことを表している。このとき主制御部９は、次のステップＳＰ８へ移り、ステップＳＰ５と同様、当該紙幣を不当紙幣と判別して、その次のステップＳＰ９へ移る。ステップＳＰ９において主制御部９は、金種情報ＮＢ２として、金種が不明であったことを表す金種不明文字列「ＵＮＫＮＯＷＮ」を設定し、さらに記番号情報ＮＢ３に空白を表す文字列を設定して、次のステップＳＰ１０へ移る。
【００６３】
ステップＳＰ１０において主制御部９は、電子ジャーナルＥＪに対し、当該紙幣に関する紙幣情報ＮＢの一部として、順序情報ＮＢ１を行頭に記録した上で、金種情報ＮＢ２及び記番号情報ＮＢ３を順次記録し、次のステップＳＰ１１へ移る。
【００６４】
ステップＳＰ１１において主制御部９は、当該紙幣が不当紙幣として判別されたか否かを判定する。ここで肯定結果が得られると、このとき主制御部９は次のステップＳＰ１２へ移り、正当性情報ＮＢ４として不当文字列「ＲＥＪＥＣＴＥＤ」を記録し、次のステップＳＰ１３へ移る。一方、ステップＳＰ１１において否定結果が得られると、このことは当該紙幣が正当であり正当性情報ＮＢ４として何ら記録する必要が無いことを表している。このとき主制御部９は、次のステップＳＰ１３へ移る。
【００６５】
ステップＳＰ１３において主制御部９は、取忘紙幣情報を得た全ての紙幣について紙幣情報ＮＢを電子ジャーナルＥＪに記録したか否かを判定する。ここで否定結果が得られると、このことは残りの紙幣についても紙幣情報ＮＢを記録すべきであることを表している。このとき主制御部９は、ステップＳＰ２へ戻って一連の処理を繰り返すことにより、次の紙幣について同様に紙幣情報ＮＢを記録する。
【００６６】
一方、ステップＳＰ１３において肯定結果が得られると、このことは全ての取忘紙幣についての紙幣情報ＮＢが含まれる取忘情報Ｎを電子ジャーナルＥＪに記録し終えたことを表している。このとき主制御部９は、次のステップＳＰ１４へ移って取忘情報記録処理手順ＲＴ１を終了する。
【００６７】
因みに主制御部９は、取忘情報記録処理手順ＲＴ１を終了した後も、各紙幣情報ＮＢ（すなわち取忘情報Ｎ）を記憶部９Ｍから消去せず、記憶したままとしておく。
【００６８】
［１−５．取忘情報の印字］
さらに現金自動預払機１では、金融機関の職員や保守作業者等の操作により、電子ジャーナルＥＪの内容をレシート処理部８Ａ（図１、図３）によりレシートに印字できるようになっている。
【００６９】
例えば現金自動預払機１は、出金取引において紙幣の取り忘れが発生し、且つ取忘紙幣の中に不当紙幣が含まれており、取忘紙幣を入出金部１２へ搬送して運用を停止した状態であったとする。このとき主制御部９は、保守作業者等により操作表示部６等を介して所定の保守操作がなされると、図６に示す印字操作画面Ｄ１を当該操作表示部６に表示させる。
【００７０】
印字操作画面Ｄ１には、「印字」の文字が表示された印字ボタンＢ１が設けられている。主制御部９は、印字ボタンＢ１がタッチ操作されると、入出金部１２に収納されている取忘紙幣に関する取忘情報Ｎを電子ジャーナルＥＪから読み出し、これをレシート処理部８Ａ（図１、図３）へ供給する。
【００７１】
レシート処理部８Ａは、図７に示すように、取得した取忘情報ＮをレシートＲＣに印字し、レシート発行口８（図１）から排出する。このときレシートＲＣには、電子ジャーナルＥＪに記録されている取忘情報Ｎと同一の内容が印字される。
【００７２】
保守作業者は、このレシートＲＣを受け取り、入出金部１２から取り出した取忘紙幣と見比べることにより、不当紙幣の特定や当該不当紙幣の目視確認、或いは現金自動預払機１の運用再開操作等を行う。
【００７３】
［１−６．動作及び効果］
以上の構成において、第１の実施の形態による現金自動預払機１の主制御部９は、入金取引又は出金取引において紙幣の取り忘れが発生すると、取忘紙幣ごとの紙幣情報ＮＢにより構成された取忘情報Ｎを生成して電子ジャーナルＥＪに記録する。
【００７４】
このとき主制御部９は、紙幣の金種を判別できなかった場合、紙幣情報ＮＢの金種情報ＮＢ２として、金種不明文字列「ＵＮＫＮＯＷＮ」を記録する。このため主制御部９は、取忘情報Ｎを目視した保守作業者等に対し、各取忘紙幣の金種や記番号を認識させ得ると共に、取忘紙幣の中に金種を判別できなかった紙幣が含まれていることを認識させることができる。
【００７５】
また主制御部９は、紙幣の金種を判別できなかった場合、記番号を読み取ることができないため、紙幣情報ＮＢとして記番号を記録することができない。すなわち主制御部９は、保守作業者に対し、記番号を頼りにしてこの紙幣を特定させることができない。
【００７６】
しかしながら主制御部９は、電子ジャーナルＥＪに対し、順序情報ＮＢ１と対応付けて金種情報ＮＢ２としての金種不明文字列「ＵＮＫＮＯＷＮ」を記録しており、また鑑別部１４により鑑別した順序のまま各取忘紙幣の紙幣情報ＮＢを１行ずつ記録している。
【００７７】
このため主制御部９は、保守作業者等に対し、取忘情報Ｎにおける各紙幣情報ＮＢの順序と、入出金部１２から取り出させた取忘紙幣の順序とを対比させることで、金種を判別できず記番号も不明であった取忘紙幣を容易に特定させることができる。これにより主制御部９は、取忘情報Ｎとして記録されている各紙幣情報ＮＢを、現実の取忘紙幣とそれぞれ容易に対応付けさせ、各取忘紙幣の判別結果等を容易に把握させることができる。
【００７８】
また主制御部９は、記番号中に不読桁があった場合、記番号情報ＮＢ３に記番号を全く記録しないのでは無く、正常に読み取った桁の文字をそのまま記録し、不読桁を不読文字「？」として記録する。このため主制御部９は、保守作業者等に対し、記番号のうち読み取れた桁の文字を参酌させながら、取忘紙幣と取忘情報Ｎとを対比させることができる。
【００７９】
さらに主制御部９は、保守作業者等により所定の操作がなされた場合、電子ジャーナルＥＪの内容をレシートＲＣに印字する。これにより主制御部９は、例えば金融機関内の各部署間で取忘紙幣を順次受け渡すような場合に、このレシートＲＣを当該取忘紙幣に添付しておくことで、口頭での詳細な説明等を行わせること無く、当該取忘紙幣を見た各部署の担当者に対し、直ちにその状態を認識させることができる。
【００８０】
以上の構成によれば、第１の実施の形態による現金自動預払機１の主制御部９は、紙幣の取り忘れが発生すると、金種を判別できなかった場合に金種情報ＮＢ２を金種不明文字列「ＵＮＫＮＯＷＮ」とし、また記番号情報ＮＢ３において記番号中の不読桁を不読文字「？」として、各取忘紙幣の紙幣情報ＮＢを生成して取忘情報Ｎとし、これを電子ジャーナルＥＪに記録する。これにより主制御部９は、電子ジャーナルＥＪの取忘情報Ｎを保守作業者等に提示することで、各取忘紙幣と各紙幣情報ＮＢとの対応付けを容易なものとし、各取忘紙幣の判別結果等を直ちに把握させることができる。
【００８１】
［２．第２の実施の形態］
第２の実施の形態による現金自動預払機１０１（図１）は、第１の実施の形態による現金自動預払機１と比較して、主制御部９、紙幣入出金機１０及び電子ジャーナル部２１に代わる主制御部１０９、紙幣入出金機１１０及び電子ジャーナル部１２１を有する点において相違するものの、他の点については同様に構成されている。
【００８２】
主制御部１０９は、第１の実施の形態による主制御部９と同様、図示しないＣＰＵを中心に構成されており、所定のプログラムを実行することにより種々の処理を行う。また主制御部１０９は、記憶部９Ｍに代わる記憶部１０９Ｍを有している。記憶部１０９Ｍは、記憶部９Ｍと同様、取忘情報記録プログラム等の各種プログラムや種々の情報を記憶する。
【００８３】
紙幣入出金機１１０は、第１の実施の形態による紙幣入出金機１０と比較して、紙幣制御部１１に代わる紙幣制御部１１１を有する点において相違するものの、他の点については同様に構成されている。紙幣制御部１１１は、第１の実施の形態による紙幣制御部１１と比較して、入金取引及び出金取引において紙幣の取り忘れが発生した際に、鑑別部１４から取忘紙幣の鑑別結果を取得した後に行う処理が一部相違している。
【００８４】
すなわち紙幣制御部１１１は、鑑別部１４から得られる鑑別結果を基に、全ての紙幣が正常であった場合、すなわち不当紙幣及び搬送不良紙幣が何れも含まれていない場合、全ての紙幣を取忘収納庫１８へ搬送して収納させ、次の取引の開始を待ち受ける。一方、紙幣制御部１１１は、不当紙幣又は搬送不良紙幣が１枚以上含まれていた場合、全ての紙幣を入出金部１２へ搬送して収容器１２Ａ内に収容させ、シャッタ１２Ｂを閉塞したまま、主制御部１０９と協働して現金自動預払機１０１の運用を停止させる。
【００８５】
電子ジャーナル部１２１（図３）は、第１の実施の形態による電子ジャーナル部２１と同様、電子ジャーナルＥＪに取忘情報Ｎ等の取引に関する情報を記録するものの、当該取忘情報Ｎの内容において第１の実施の形態と一部相違している。
【００８６】
具体的に主制御部１０９は、電子ジャーナルＥＪ対し、図４と対応する図８に示すように、紙幣情報ＮＢに理由情報ＮＢ５が追加された取忘情報Ｎを記録する。理由情報ＮＢ５は、正当性情報ＮＢ４として不当文字列「ＲＥＪＥＣＴＥＤ」が記録された行のみ記録され、例えば「Ｅ０１」や「Ｅ０２」のように英文字及び数字が組み合わされた文字列となっている。
【００８７】
この理由情報ＮＢ５は、いわゆるエラーコードとなっており、各文字列に対し、「金種情報不明」や「偽券」、或いは「重送」や「斜行」等、紙幣が不当紙幣又は搬送不良紙幣と判別された場合の判別理由が予め対応付けられている。
【００８８】
また主制御部１０９は、電子ジャーナルＥＪに対する取忘情報Ｎの記録においても、第１の実施の形態による主制御部９と一部相違している。具体的に主制御部１０９は、取忘情報記録処理手順ＲＴ１（図５）に代えて、図９に示す取忘情報記録処理手順ＲＴ２に従った処理を実行する。この取忘情報記録処理手順ＲＴ２におい主制御部１０９は、ステップＳＰ２１〜ＳＰ３０において、取忘情報記録処理手順ＲＴ１のステップＳＰ１〜ＳＰ１０とそれぞれ同様の処理を行い、ステップＳＰ３１へ移る。
【００８９】
ステップＳＰ３１において主制御部１０９は、当該紙幣が不当紙幣又は搬送不良紙幣の何れかとして判別されたか否かを判定する。ここで肯定結果が得られると、このとき主制御部９は次のステップＳＰ３２へ移り、正当性情報ＮＢ４として不当文字列「ＲＥＪＥＣＴＥＤ」を記録し、次のステップＳＰ３３へ移る。ステップＳＰ３３において主制御部１０９は、電子ジャーナルＥＪに対し、当該紙幣が不当紙幣又は搬送不良紙幣として判別された理由を表す理由情報ＮＢ５を記録して、次のステップＳＰ３４へ移る。
【００９０】
一方、ステップＳＰ３１において否定結果が得られると、このことは当該紙幣が正当であり正当性情報ＮＢ４及び理由情報ＮＢ５として何ら記録する必要が無いことを表している。このとき主制御部１０９は、次のステップＳＰ３４へ移る。
【００９１】
ステップＳＰ３４において主制御部１０９は、ステップＳＰ１３（図５）と同様、取忘紙幣情報を得た全ての紙幣について紙幣情報ＮＢを電子ジャーナルＥＪに記録したか否かを判定する。ここで否定結果が得られると、主制御部１０９は、ステップＳＰ２２へ戻って一連の処理を繰り返す。一方、ステップＳＰ３４において肯定結果が得られると、主制御部１０９は、次のステップＳＰ３５へ移って取忘情報記録処理手順ＲＴ２を終了する。
【００９２】
さらに現金自動預払機１０１では、第１の実施の形態と同様、金融機関の職員や保守作業者等の操作により、電子ジャーナルＥＪの内容をレシート処理部８Ａ（図１、図３）によりレシートに印字することもできる。このときレシートＲＣには、理由情報ＮＢ５（図８）も印字される。
【００９３】
以上の構成において、第２の実施の形態による現金自動預払機１０１の主制御部１０９は、入金取引又は出金取引において紙幣の取り忘れが発生すると、取忘情報Ｎを生成して電子ジャーナルＥＪに記録する。このとき主制御部１０９は、各取忘紙幣の紙幣情報ＮＢとして、順序情報ＮＢ１、金種情報ＮＢ２及び記番号情報ＮＢ３を記録し、さらに不当紙幣又は搬送不良紙幣と判別された紙幣について正当性情報ＮＢ４及び理由情報ＮＢ５を記録する。
【００９４】
このため主制御部１０９は、取忘情報Ｎを目視した保守作業者等に対し、各取忘紙幣の金種や記番号を認識させ得ると共に、何れの紙幣が正常で無いと判別されたのか、及びその理由を容易に把握させることができる。
【００９５】
特にこの第２の実施の形態では、紙幣入出金機１１０の紙幣制御部１１１が、紙幣の取り忘れが発生した際に、不当紙幣があった場合に加えて搬送不良紙幣があった場合にも、取忘紙幣を入出金部１２へ搬送して現金自動預払機１０１の運用を停止させてしまう。このため現金自動預払機１０１では、取忘情報Ｎに正当性情報ＮＢ４が記録されていたとしても、不当紙幣であるか搬送不良紙幣であるかの区別がつきにくく、保守作業者に紙幣の状態を正しく把握させ得ないおそれがあった。
【００９６】
この点において主制御部１０９は、正当性情報ＮＢ４と併せて理由情報ＮＢ５を記録しているため、保守作業者に紙幣の状態をより詳細に且つ短時間で把握させることができ、直ちにこれに対応した的確な処置をさせることができる。これにより、例えば金融機関の職員が顧客に対し取忘紙幣の状態を説明するような場合にも、理由情報ＮＢ５を参照することで、詳細な理由を含めて顧客の納得を得られるような説明をすることができる。
【００９７】
その他の点においても、第２の実施の形態による現金自動預払機１０１は、第１の実施の形態による現金自動預払機１と同様の作用効果を奏し得る。
【００９８】
以上の構成によれば、第２の実施の形態による現金自動預払機１０１の主制御部１０９は、紙幣の取り忘れが発生すると、電子ジャーナルＥＪに対し、紙幣情報ＮＢとして金種情報ＮＢ２及び記番号情報ＮＢ３を記録し、さらに不当紙幣又は搬送不良紙幣と判別された紙幣について、正当性情報ＮＢ４及び理由情報ＮＢ５を記録する。これにより主制御部１０９は、電子ジャーナルＥＪの取忘情報Ｎを保守作業者等に提示することで、各取忘紙幣と各紙幣情報ＮＢとの対応付けを容易なものとし、不当紙幣又は搬送不良紙幣と判別された場合の理由も含めて、各取忘紙幣の判別結果等を直ちに且つ詳細に把握させることができる。
【００９９】
［３．他の実施の形態］
なお上述した第１の実施の形態においては、記番号情報ＮＢ３において、読み取れた桁についてはその読み取れた文字を記録し、読み取れなかった桁については不読文字「？」を記録する場合について述べた。しかしながら本発明はこれに限らず、例えば読み取れなかった桁を空白としても良く、また不読文字として「＊」や「＿」等の種々の記号を用いても良い。さらには、全桁が読み取れなかった場合に、例えば「＜ＥＲＲＯＲ＞」等のように、その旨を表す専用の文字列を記録しても良い。要は、記番号情報ＮＢ３として、読み取れた桁の文字を極力記録し、且つ読み取れなかった桁の存在や位置を明らかにすることで、各桁の位置を正しく記録できれば良い。第２の実施の形態についても同様である。
【０１００】
また上述した第１の実施の形態においては、現金自動預払機１が複数の金種の紙幣を取り扱う場合に、取忘情報Ｎに金種を表す金種情報ＮＢ２を記録する場合について述べた。しかしながら本発明はこれに限らず、例えば現金自動預払機１が１種類の金種の紙幣のみを取り扱う場合等に、取忘情報Ｎから金種情報ＮＢ２を省略しても良い。第２の実施の形態についても同様である。
【０１０１】
さらに上述した第１の実施の形態においては、金種を判別できなかった場合に、金種情報ＮＢ２を金種不明文字列「ＵＮＫＮＯＷＮ」とし、これに加えて金種ごとに記番号の位置が相違するために記番号を全く読み取れないことから、記番号情報ＮＢ３を空欄とする場合について述べた。しかしながら本発明はこれに限らず、例えば金種間で記番号の位置が同一である場合に、金種を判別できたか否かに拘わらず、記番号の読取結果を基に記番号情報ＮＢ３を記録するようにしても良い。第２の実施の形態についても同様である。
【０１０２】
さらに上述した第２の実施の形態においては、理由情報ＮＢ５として「Ｅ０１」や「Ｅ０２」のようなエラーコードを表示する場合について述べた。しかしながら本発明はこれに限らず、例えば「ＳＬＡＮＴＥＤ」や「ＯＶＥＲＬＡＰ」のように状態を表す語を理由情報ＮＢ５として記録しても良い。
【０１０３】
さらに上述した第１の実施の形態においては、１枚の取忘紙幣についての紙幣情報ＮＢを１行に記録する場合について述べた。しかしながら本発明はこれに限らず、例えば１枚の取忘紙幣についての紙幣情報ＮＢを２行以上に渡って記録しても良く、或いは１行に２枚以上の取忘紙幣についての紙幣情報ＮＢを繋げて記録しても良い。この場合、順序情報ＮＢ１が記録されていることにより、取忘紙幣の整列順序と対応付けることができ、且つ取忘情報Ｎにおける１枚の取忘紙幣についての紙幣情報ＮＢ同士を区切ることができれば良い。第２の実施の形態についても同様である。
【０１０４】
さらに上述した第１の実施の形態においては、紙幣情報ＮＢとして順序情報ＮＢ１を記録する場合について述べた。しかしながら本発明はこれに限らず、当該順序情報ＮＢ１を省略しても良い。この場合、紙幣情報ＮＢの１行目からの行数が紙幣の順序を表すことになるため、この行数を数えることで、取忘紙幣の整列順序と対応付けることが可能となる。第２の実施の形態についても同様である。
【０１０５】
さらに上述した第１の実施の形態においては、電子ジャーナル部２１の電子ジャーナルＥＪに対し、電子情報でなる取忘情報Ｎを記録する場合について述べた。しかしながら本発明はこれに限らず、例えば紙のジャーナルに対し、文字を印字することにより取忘情報Ｎを記録しても良い。この場合、保守作業者に対し、改めてレシートＲＣ等に印字させること無く、印字済みの紙のジャーナルから所望の取忘情報Ｎを探し出させて参照させることができる。
【０１０６】
さらにこの場合、紙のジャーナルに取忘情報Ｎを記録しながらも、保守作業者等の操作により、取忘紙幣に関する取忘情報Ｎを別途レシートＲＣに印字しても良い。具体的には、記憶部９Ｍに記憶している取忘情報Ｎを読み出してレシートＲＣに印字すれば良い。第２の実施の形態についても同様である。
【０１０７】
さらに上述した第１の実施の形態においては、保守作業者等の操作により取忘情報ＮをレシートＲＣ（図７）に印字する際に、取忘紙幣に関する取忘情報Ｎを電子ジャーナルＥＪから読み出して印字する場合について述べた。しかしながら本発明はこれに限らず、例えば当該取忘情報Ｎを記憶部９Ｍから読み出して印字しても良い。第２の実施の形態についても同様である。
【０１０８】
さらに上述した第１の実施の形態においては、保守作業者等の操作により、取忘情報ＮをレシートＲＣ（図７）に印字する場合について述べた。しかしながら本発明はこれに限らず、例えば印字機能を省略し、取忘情報Ｎを操作表示部６に表示し、これを保守作業者に目視確認させるようにしても良く、或いは例えばＵＳＢ（Universal Serial Bus）メモリのような着脱可能な情報記憶媒体に電子情報としての取忘情報Ｎを転送して記憶させ、これを保守作業者の端末装置等で参照させても良い。要は、文字情報を保守作業者等に提示することができる種々の提示手段により取忘情報Ｎを提示することができれば良い。第２の実施の形態についても同様である。
【０１０９】
さらに上述した第１の実施の形態においては、鑑別部１４において得られた鑑別結果を基に、紙幣制御部１１において金種や真偽等の判別処理、及び記番号の読取処理（認識処理）を行う場合について述べた。しかしながら本発明はこれに限らず、例えば鑑別部１４に所定の判別処理部を組み込み、当該判別処理部においてこれらの判別処理や認識処理を行うようにしても良い。第２の実施の形態についても同様である。
【０１１０】
さらに上述した第１の実施の形態においては、取忘紙幣に不当紙幣が１枚以上含まれていた場合、全ての紙幣を入出金部１２へ搬送して収容器１２Ａ内に収容させ、シャッタ１２Ｂを閉塞したまま、主制御部９と協働して現金自動預払機１の運用を停止させる場合について述べた。しかしながら本発明はこれに限らず、例えば取忘紙幣に不当紙幣が含まれているか否かに拘わらず、全ての紙幣を取忘収納庫１８へ搬送して収納させ、次の取引の開始を待ち受けるようにしても良い。第２の実施の形態についても同様である。
【０１１１】
さらに上述した第１の実施の形態においては、現金自動預払機１の主制御部９により取忘情報記録処理手順ＲＴ１（図５）に従った取忘情報の記録処理を実行する場合について述べた。しかしながら本発明はこれに限らず、例えば紙幣入出金機１０の紙幣制御部１１単独又は当該紙幣制御部１１及び主制御部９の協働により取忘情報の記録処理を実行しても良い。第２の実施の形態についても同様である。
【０１１２】
さらに上述した第１の実施の形態においては、取忘情報記録プログラムを主制御部９の記憶部９Ｍに予め記憶させる場合について述べた。しかしながら本発明はこれに限らず、例えば紙幣制御部１１の記憶部１１Ｍに記憶させておいても良く、また図示しないネットワークを介して外部のサーバ等からダウンロードして取得しても良く、さらには図示しないインタフェースを介してＵＳＢメモリのような着脱可能な情報記憶媒体から取得しても良い。第２の実施の形態についても同様である。
【０１１３】
さらに上述した第１の実施の形態においては、利用者との間で媒体としての紙幣を取引する現金自動預払機１に本発明を適用した場合について述べた。しかしながら本発明はこれに限らず、例えば金融機関の窓口に設置され紙幣の入金処理や出金処理を行う装置、いわゆるテラーキャッシャーや、或いは各種金券や証券等の媒体を利用者との間で授受する種々の装置において、特に利用者が取り忘れた媒体を装置内に取り込む場合に本発明を適用しても良い。第２の実施の形態についても同様である。
【０１１４】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１１５】
さらに上述した実施の形態においては、受渡部としての入出金部１２と、鑑別部としての鑑別部１４と、判別部としての紙幣制御部１１と、記録部としての主制御部９及び電子ジャーナル部２１とによって媒体取引装置としての現金自動預払機１を構成する場合について述べた。しかしながら本発明はこれに限らず、その他種々の構成でなる受渡部と、鑑別部と、判別部と、記録部とによって媒体取引装置を構成するようにしても良い。
【産業上の利用可能性】
【０１１６】
本発明は、利用者との間で紙幣等の媒体を授受する種々の装置でも利用できる。
【符号の説明】
【０１１７】
１、１０１……現金自動預払機、５……入出金口、６……操作表示部、８……レシート発行口、８Ａ……レシート処理部、９、１０９……主制御部、９Ｍ、１０９Ｍ……記憶部、１０、１１０……紙幣入出金機、１１、１１１……紙幣制御部、１１Ｍ……記憶部、１２……入出金部、１２Ａ……収容器、１２Ｂ……シャッタ、１３……搬送部、１４……鑑別部、１５……一時保留部、１８……取忘収納庫、２１、１２１……電子ジャーナル部、Ｄ１……印字操作画面、ＥＪ……電子ジャーナル、Ｎ……取忘情報、ＮＡ……日時情報、ＮＢ……紙幣情報、ＮＢ１……順序情報、ＮＢ２……金種情報、ＮＢ３……記番号情報、ＮＢ４……正当性情報、ＮＢ５……理由情報、ＲＣ……レシート。
【図１】
2015191332.tif 000003
【図２】
2015191332.tif 000004
【図３】
2015191332.tif 000005
【図４】
2015191332.tif 000006
【図５】
2015191332.tif 000007
【図６】
2015191332.tif 000008
【図７】
2015191332.tif 000009
【図８】
2015191332.tif 000010
【図９】
2015191332.tif 000011